(57)【要約】【課題】より容易且つ正確に内径の測定を行うことのできる内径測定装置を提供する。【解決手段】シリンダゲージ１６により内径を測定されるピニオン４３が固定されるワーク固定部１５を、転動可能に配設されたボール１４によって水平方向に摺動自在に支持する構造とした。そのため、シリンダゲージ１６の測定部１６ａをピニオン４３の円孔４３Ｈ内に挿入すると、その挿入された測定部１６ａに押圧されて、適切な測定位置に位置されるようにピニオン４３が水平方向に移動して、自律的に調芯がなされるようになる。【選択図】図１
2009133655.tif 000002
【特許請求の範囲】
【請求項１】
内径の測定対象となる円孔の形成されたワークが固定されるワーク固定部と、
前記円孔の内周に当接してその内径の測定する測定部を有するシリンダゲージと、
前記ワーク固定部を前記円孔の径方向に滑動自在に支持する支持部と、
を備えることを特徴とする内径測定装置。
【請求項２】
前記支持部の前記円孔の軸方向における位置を調節する調節機構と、
前記調節機構により調節される前記支持部の前記軸方向における位置を規定の位置にて係止する係止部材と、
を備えることを特徴とする請求項１に記載の内径測定装置。
【請求項３】
前記係止部材として、係止させる前記軸方向における位置の異なる複数種の係止部材を備える
ことを特徴とする請求項２に記載の内径測定装置。
【請求項４】
前記調節機構は、レバーの傾動操作に連動して前記支持部の前記軸方向における位置を調節するよう構成され、
前記係止部材は、前記レバーの傾動位置を規定の位置にて係止するように構成されてなる
請求項２又は３に記載の内径測定装置。
【請求項５】
前記支持部は、転動可能に配設された複数の同径のボールにて前記ワーク固定部を支持することで、同ワーク固定部の前記径方向の滑動を許容する
請求項１〜４のいずれか１項に記載の内径測定装置。
【請求項６】
前記支持部は、磁石の同極間の反発力にて前記ワーク固定部を浮上させた状態で支持することで、同ワーク固定部の前記径方向の滑動を許容する
請求項１〜４のいずれか１項に記載の内径測定装置。
【請求項７】
前記支持部は、エアの圧力にて前記ワーク固定部を浮上させた状態で支持することで、同ワーク固定部の前記径方向の滑動を許容する
請求項１〜４のいずれか１項に記載の内径測定装置。
【請求項８】
前記支持部は、スプリングにて前記ワーク固定部を浮上させた状態で支持することで、同ワーク固定部の前記径方向の滑動を許容する
請求項１〜４のいずれか１項に記載の内径測定装置。
【請求項９】
前記ワーク固定部は、前記円孔に係合される凸部を備える
請求項１〜８のいずれか１項に記載の内径測定装置。
【発明の詳細な説明】
【技術分野】
【０００１】
本発明は、円孔の内径を測定するための内径測定装置、特に小型部品の内径の測定用途に好適な測定装置に関する。
【背景技術】
【０００２】
例えば内燃機関のバルブ特性可変装置を構成する機構として、アクチュエータの回転運動を直線運動に変換する回転直線運動変換機構がある。この回転直線運動変換機構は、図７に示されるように、軸方向に延びる空間を内部に有するリングシャフト２を備えている。リングシャフト２の内部には、同軸を有して回転可能、且つ軸方向に移動可能にサンシャフト３が配置されている。そしてリングシャフト２とサンシャフト３との間には、複数のプラネタリシャフト４が等間隔で配置されている。
【０００３】
こうした回転直線変換機構では、リングシャフト２と各プラネタリシャフト４とは、各々に設けられたギアの噛み合いにより回転運動を互い伝達可能とされるとともに、各々に設けられたウォームの噛み合いを通じても互いに連結されている。またサンシャフト３と各プラネタリシャフト４とにおいても、各々に設けられたギアの噛み合いにより回転運動を互い伝達可能とされるとともに、各々に設けられたウォームの噛み合いを通じても互いに連結されている。
【０００４】
こうした回転直線運動変換機構において、リングシャフト２及びサンシャフト３のいずれかが回転運動されると、それに連動して各プラネタリシャフト４がサンシャフト３のまわりを遊星運動するようになる。そして各プラネタリシャフト４が遊星運動すると、ウォームの噛み合せを通じて、サンシャフト３がリングシャフト２に対して軸方向に移動する。この回転直線運動変換機構では、こうして回転運動を直線運動に変換するものとなっている。
【０００５】
さてこうした回転直線運動変換機構のプラネタリシャフト４は、図８（ａ）に示すように、その軸方向中央部の外周にウォーム４４の形成された軸材４１の両端に、外周にギア歯の形成されたピニオン４３を装着することで形成されている。同図（ｂ）にその断面構造を示すように、こうしたピニオン４３は、その内部を軸方向に貫通する円孔４３Ｈの形成された円管形状に形成されている。このピニオン４３は、その全長が「１１ｍｍ」、その内径が「２ｍｍ」の極小さい部品である。
【０００６】
こうしたピニオン４３の内径には、上記軸材４１に装着する都合上、非常に高い精度が要求される。そこで軸材４１への装着前には、ピニオン４３の内径を測定して、その内径が許容公差内に収まっているか否かを確認するようにしている。
【０００７】
こうしたピニオン４３のような小型部品の内径の測定は、特許文献１に見られるようなシリンダゲージを用いて行なわれる。そしてその部品とシリンダゲージとをそれぞれ左右の手に保持し、シリンダゲージの測定部をその部品の円孔内に挿入してその内径の測定が行われている。
【０００８】
なお本件に関連する従来技術としては、特許文献２〜４に記載のものがある。特許文献２には、測定対象となるワークを揺動自在の支持部にて支持しつつ、ワークの基準面の測定器の測定基準面に密着させることで、基準位置決めを行う測定装置が記載されている。また特許文献３には、自在に動く測定子を、測定対象のレンズの表面に倣って移動させながら、レンズ表面の曲率を測定する測定装置が記載されている。更に特許文献４には、加工時にワークを載置する台の高さを調節可能な加工装置が記載されている。
【特許文献１】特開平１１−２４８４０２号公報
【特許文献２】特開平７−７１９０２号公報
【特許文献３】特開２０００−３５３０４号公報
【特許文献４】特開２０００−９１４９号公報
【発明の開示】
【発明が解決しようとする課題】
【０００９】
ところで、上記のように測定対象の部品とシリンダゲージとをそれぞれ手に保持してその部品の内径を測定する場合には、如何しても手が振れて部品が傾いてしまうため、正確な測定が困難となってしまう。そこで、シリンダゲージ及び測定中の部品を固定しておく固定用台が市販されているが、正確な測定には、シリンダゲージの測定部が測定対象の円孔内に正しく挿入されるように、部品の調芯を行う必要があり、その分、測定に時間が掛ってしまうようになっていた。
【００１０】
本発明は、こうした実状に鑑みてなされたものであって、その解決しようとする課題は、より容易且つ正確に内径の測定を行うことのできる内径測定装置を提供することにある。
【課題を解決するための手段】
【００１１】
以下、上記課題を解決するための手段、及びその作用効果を記載する。
上記課題を解決するため、請求項１に記載の発明は、内径の測定対象となる円孔の形成されたワークが固定されるワーク固定部と、前記円孔の内周に当接してその内径の測定する測定部を有するシリンダゲージと、前記ワーク固定部を前記円孔の径方向に滑動自在に支持する支持部と、を備えることをその要旨としている。
【００１２】
上記構成では、内径の測定対象となるワークがその径方向に自在移動可能に設置された状態でシリンダゲージによる内径の測定が行われるようになる。そのため、シリンダゲージの測定部をワークの円孔内に挿入すると、その挿入された測定部に押圧されて、適切な測定位置に位置されるようにワークがその軸方向に滑動されるようになる。すなわち、上記の如く構成された内径測定装置では、シリンダゲージ測定部のワークの円孔内への挿入に応じて、ワークの調芯が自律的になされるようになる。そのため、調芯を短時間で正確に行うことが可能となり、測定誤差が低減され、また測定時間が短縮されるようにもなる。したがって上記構成によれば、より容易且つ正確に内径の測定を行うことができるようになる。
【００１３】
請求項２に記載の発明は、請求項１に記載の内径測定装置において、前記支持部の前記円孔の軸方向における位置を調節する調節機構と、前記調節機構により調節される前記支持部の前記軸方向における位置を規定の位置にて係止する係止部材と、を備えることをその要旨としている。
【００１４】
上記構成では、調節機構により、ワーク固定部に固定されたワークの円孔軸方向における位置が調節されるようになる。その一方、係止部材によっては、円孔軸方向におけるワークの位置が規定の位置にて係止されるようになる。したがって上記構成では、測定時の円孔軸方向における位置を、容易に規定の位置とすることができ、測定毎のワークの測定位置を容易に揃えることができるようになる。
【００１５】
請求項３に記載の発明は、請求項２に記載の内径測定装置において、前記係止部材として、係止させる前記軸方向における位置の異なる複数種の係止部材を備えることをその要旨としている。
【００１６】
上記構成では、係止位置の異なる複数種の係止部材が用意されているため、係止部材の選択により、測定位置を容易且つ正確に変更することができるようになる。
請求項４に記載の発明は、請求項２又は３に記載の内径測定装置において、前記調節機構は、レバーの傾動操作に連動して前記支持部の前記軸方向における位置を調節するよう構成され、前記係止部材は、前記レバーの傾動位置を規定の位置にて係止するように構成されてなることをその要旨としている。
【００１７】
上記構成では、レバーの傾動操作により、支持部の上記軸方向における位置が調節されるようになっている。そのため、ワークの測定位置の調節を簡単に行うことができる。またそうしたレバーの傾動位置が係止部材により規定の位置で係止されるため、毎回決った測定位置にて測定を行うことが容易に行えるようにもなる。
【００１８】
なお上記のような請求項１〜４に記載の内径測定装置でのワーク固定部の円孔径方向への滑動は、例えば以下のような構成により具現とすることができる。
・請求項５に記載のように、転動可能に配設された複数の同径のボールにてワーク固定部を支持するように上記支持部を構成することで、同ワーク固定部の上記径方向の滑動を許容する。
・請求項６に記載のように、磁石の同極間の反発力にて前記ワーク固定部を浮上させた状態で支持するように上記支持部を構成することで、同ワーク固定部の上記径方向の滑動を許容する。
・請求項７に記載のように、エアの圧力にてワーク固定部を浮上させた状態で支持するように支持部を構成することで、同ワーク固定部の前記径方向の滑動を許容する。
・請求項８に記載のように、スプリングにてワーク固定部を浮上させた状態で支持するように支持部を構成することで、同ワーク固定部の上記径方向の滑動を許容する。
【００１９】
また請求項９に記載の発明は、請求項１〜８のいずれか１項に記載の内径測定装置において、前記ワーク固定部は、前記円孔に係合される凸部を備えることをその要旨としている。
【００２０】
このようにワーク固定部に凸部を設ければ、ワークの円孔をその凸部に係合させるだけで、ワークを簡単且つ適切に固定することができるようになり、更に測定を容易とすることができる。
【発明を実施するための最良の形態】
【００２１】
以下、本発明の内径測定装置を具体化した一実施形態を、図１〜図６を参照して詳細に説明する。なお本実施の形態に係る内径測定装置は、上述したような回転直線運動変換機構のプラネタリシャフト４に設けられるピニオン４３（図８参照）の内径を測定する装置として構成されている。もっとも、本発明の内径測定装置は、こうしたピニオン４３以外の部品の内径を測定する装置として具体化することも可能である。
【００２２】
図１（ａ）は、こうした本実施の形態の内径測定装置の正面断面構造を、図１（ｂ）は同測定装置の側面構造をそれぞれ示している。これらの図に示すように内径測定装置の基台１０には、高さ方向に延びる支柱１１が固定されている。こうした支柱１１の中段には、高さ方向に移動可能に、ワーク支持台１２が配設されている。
【００２３】
ワーク支持台１２の上面には、その中央に円形状の穴１３ａが形成された天板１３が、その上面が水平となるように設置されている。またワーク支持台１２の上面中央には、凹部１２ａが形成されており、その凹部１２ａの内部には、複数（３つ以上）の同径のボール１４によって支持された状態で、ワーク固定部１５が配設されている。こうして配設されたワーク固定部１５は、各ボール１４の転動を通じて、水平方向に摺動自在とされている。
【００２４】
ワーク固定部１５の上面中央には、円筒形状の凸部１５ａが形成されており、この凸部１５ａは、上記天板１３の穴１３ａを通って上方に突出されている。こうした凸部１５ａの外径は、測定対象となるピニオン４３の内径とほぼ等しくされており、ピニオン４３の円孔４３Ｈをこの凸部１５ａに係合することで、ピニオン４３がワーク固定部１５に固定されるようになっている。
【００２５】
こうしたワーク固定部１５の設けられたワーク支持台１２の上方には、上記支柱１１の上段に支持される態様で、シリンダゲージ１６が設置されている。このシリンダゲージ１６の下端には、測定部１６ａが設けられ、この測定部１６ａをピニオン４３の円孔４３Ｈに挿入して、同円孔４３Ｈの内周に当接させることで、その内径の測定が行われるようになっている。なおシリンダゲージ１６の上部には、ダイヤルゲージ１６ｂが設けられており、測定部１６ａにて測定されたピニオン４３の内径が、同ダイヤルゲージ１６ｂの指針の指示する目盛にて示されるようになっている。なお厳密には、ダイヤルゲージ１６ｂには、基準ゲージを用いた０点調節により設定された基準内径との内径差が示されるようになっている。
【００２６】
また内径測定装置の下部側方には、高さ調節レバー１７が設置されている。この高さ調節レバー１７は、レバー軸１７ａを介して上記支柱１１の内部に設置された回転直動変換機構１１ａに連結されている。回転直動変換機構１１ａは、例えばラック・アンド・ピニオン機構などの回転直動変換機構となっており、高さ調節レバー１７の傾動操作に応じたレバー軸１７ａの回転を直動に変換して、上記ワーク支持台１２の高さを変更する。なおこの内径測定装置では、高さ調節レバー１７を下方に傾動操作することで、ワーク支持台１２が上方に移動し、高さ調節レバー１７を上方に傾動操作することで、ワーク支持台１２が下方に移動するようになっている。
【００２７】
なお、こうした高さ調節レバー１７の中央部には、着脱自在に位置決めリング１８が装着されるようになっている。そしてこの位置決めリング１８が、基台１０の側部に固定されたストッパ１９と当接することで、高さ調節レバー１７の傾動位置が規定の位置にて係止されるようになっている。したがって、こうした位置決めリング１８によっては、上記回転直動変換機構１１ａにより調節されるワーク支持台１２の高さが規定の高さにて係止されるようになる。
【００２８】
続いて、以上の如く構成された内径測定装置でのピニオン４３の内径の測定手順について説明する。
測定に際してはまず図２−Ａに示すように、円孔４３Ｈを凸部１５ａに係合してワーク固定部１５に固定した状態で、測定対象のピニオン４３を天板１３の上面に載置する。なお、このときのワーク支持台１２を下方に移動しておき、ピニオン４３に干渉しないようにシリンダゲージ１６をワーク支持台１２の上方に退避させておく。
【００２９】
ピニオン４３を固定すると、高さ調節レバー１７を下方に傾動操作して、ワーク支持台１２を上方に移動させ、図２−Ｂに示すように、シリンダゲージ１６の測定部１６ａをピニオン４３の円孔４３Ｈ内に挿入させる。円孔４３Ｈの内径の測定を行うには、円孔４３Ｈの中心軸Ｌ１と、シリンダゲージ１６の測定中心軸Ｌ２とを一致させる必要がある。その点、本実施の形態の内径測定装置では、ピニオン４３の固定されたワーク固定部１５が水平方向に、すなわちその円孔４３Ｈの径方向に摺動自在に設置されている。そのため、中心軸Ｌ１と測定中心軸Ｌ２とにずれがあったとしても、円孔４３Ｈ内にシリンダゲージ１６の測定部１６ａに挿入すると、測定部１６ａにより押圧されて、両軸が一致する、適切な測定位置へとピニオン４３が水平方向に移動するようになり、自律的に調芯が行われるようになる。
【００３０】
その後、位置決めリング１８がストッパ１９に当接されるまで高さ調節レバー１７を傾動操作して、図２−Ｃに示すように、ピニオン４３を測定位置に位置させる。そして、そのときのダイヤルゲージ１６ｂの指示値を読み取ることで、ピニオン４３の内径を測定する。
【００３１】
なお、本実施の形態の内径測定装置では、上記位置決めリング１８として外径の異なる複数種のリングが用意されている。そして位置決めリング１８を取り替えることで、同位置決めリング１８により係止される高さ調節レバー１７の傾動操作位置を、すなわち係止されるワーク支持台１２の高さを変更可能としている。図３（ａ）〜（ｃ）には、外径の異なる３つの位置決めリング１８Ａ〜１８Ｃのそれぞれにより、ワーク支持台１２の係止位置の高さの違いを対比して示したものである。ちなみに、各図に示される位置決めリング１８Ａ〜１８Ｃの外径は、同図（ａ）の位置決めリング１８Ａが最小、同図（ｃ）の位置決めリング１８Ｃが最大となっており、外径の大きいリングほど、それによって係止されるワーク支持台１２の高さは低くなっている。
【００３２】
このように外径の異なる複数種の位置決めリング１８Ａ〜１８Ｃを用意することで、内径の測定位置の変更が容易となる。特に、測定を行うピニオン４３毎に複数の測定位置で内径を測定する必要がある場合には、測定位置の切り替えが容易となり、測定時間を大幅に短縮することができる。
【００３３】
なお、こうした本実施の形態では、ピニオン４３が上記ワークに、ワーク支持台１２及びボール１４が上記支持部に、位置決めリング１８が上記係止部材に、それぞれ相当する構成となっている。また本実施の形態では、回転直動変換機構１１ａ、高さ調節レバー１７及びレバー軸１７ａによって上記調節機構が構成されている。さらに本実施の形態では、測定時に、円孔４３Ｈの中心軸が水平面に直交するようピニオン４３が固定されるため、円孔４３Ｈの径方向が水平方向となり、円孔４３Ｈの軸方向が高さ方向となるようになっている。
【００３４】
以上説明した本実施形態の内径測定装置によれば、次の効果を奏することができる。
（１）本実施の形態の内径測定装置では、内径の測定対象となる円孔４３Ｈの形成されたピニオン４３が固定されるワーク固定部１５と、円孔４３Ｈの内周に当接してその内径の測定する測定部１６ａを有するシリンダゲージ１６と、を備えるようにしている。また本実施の形態では、ワーク支持台１２の凹部１２ａに転動可能に配設された複数の同径のボール１４にて、上記ワーク固定部１５を、円孔４３Ｈの径方向に滑動自在に支持するようにしている。そのため、シリンダゲージ１６の測定部１６ａをピニオン４３の円孔４３Ｈ内に挿入すると、その挿入された測定部１６ａに押圧されて、適切な測定位置に位置されるようにピニオン４３がその軸方向に滑動されるようになる。すなわち、上記の如く構成された内径測定装置では、測定部１６ａの円孔４３Ｈ内への挿入に応じて、ピニオン４３の調芯が自律的になされるようになる。そのため、調芯を短時間で正確に行うことが可能となり、測定誤差が低減され、また測定時間が短縮されるようにもなる。したがって本実施の形態によれば、より容易且つ正確に内径の測定を行うことができるようになる。
【００３５】
（２）本実施の形態の内径測定装置は、ワーク支持台１２の高さ方向における位置を調節する回転直動変換機構１１ａと、その回転直動変換機構１１ａにより調節されるワーク支持台１２の高さ方向における位置を規定の位置にて係止する位置決めリング１８とを備えている。より具体的には、回転直動変換機構１１ａは、高さ調節レバー１７の傾動操作に連動してワーク支持台１２の高さを調節するよう構成され、位置決めリング１８は、高さ調節レバー１７の傾動位置を規定の位置にて係止するように構成されている。そのため、測定時のワーク支持台１２の高さを容易に規定の高さとすることができ、測定毎の測定位置を容易に揃えることができるようになる。
【００３６】
（３）本実施の形態では、回転直動変換機構１１ａが、高さ調節レバー１７の傾動操作に連動してワーク支持台１２の高さを調節するように構成されている。そのため、ワーク支持台１２の高さ調節を簡単に行うことができる。
【００３７】
（４）本実施の形態では、位置決めリング１８として、外径が異なり、それにより係止させるワーク支持台１２の高さのそれぞれ異なる複数種の位置決めリング１８Ａ〜１８Ｃを備えるようにしている。そのため、使用する位置決めリング１８Ａ〜１８Ｃの選択により、測定位置を容易且つ正確に変更することができるようになる。
【００３８】
（５）本実施の形態では、ワーク固定部１５には、円孔４３Ｈに係合される凸部１５ａが形成されている。このようにワーク固定部１５に凸部１５ａを設ければ、ピニオン４３の円孔４３Ｈをその凸部１５ａに係合させるだけで、ピニオン４３を簡単且つ適切に固定することができるようになり、更に測定を容易とすることができる。
【００３９】
なお上記実施の形態では、転動可能に配設されたボール１４によって支持された状態でワーク固定部１５を設置することで、ワーク固定部１５を水平方向に転動自在とするようにしていた。これ以外にも、以下のような態様でも、ワーク固定部１５を水平方向に転動自在とすることが可能である。
【００４０】
例えば図４に示される構成例では、ワーク固定部１５の下面及びワーク支持台１２の凹部１２ａの底面にそれぞれ磁石２０Ａ，２０Ｂを固定するようにしている。これらの磁石２０Ａ，２０Ｂは同極が対向するように設置されており、それらの間には磁気による反発力が発生している。そのため、ワーク固定部１５はその反発力により浮上された状態で支持されることとなり、水平方向に摺動自在となる。
【００４１】
また図５に示される構成例では、ワーク支持台１２に凹部１２ａに繋がる通路２２を設け、その通路２２を通じて凹部１２ａに、コンプレッサ２３により圧縮されたエアを送り込むようにしている。こうした構成では、ワーク固定部１５は、凹部１２ａに送り込まれたエアの圧力で浮上された状態で支持されることとなり、水平方向に摺動自在となる。
【００４２】
更に図６に示される構成例では、ワーク固定部１５の下面と凹部１２ａの底面との間にコイルばね２４が圧縮状態で配設されている。こうした構成では、ワーク固定部１５は、コイルばね２４の弾性反発力にて浮上された状態で支持されることとなり、やはり水平方向に摺動自在となる。
【００４３】
このように、様々な手段によって、ワーク固定部１５を水平方向に摺動自在に設置することが可能である。もちろん、ここで例示した以外の手段によっても、ワーク固定部１５を水平方向に摺動自在とすることが可能であり、ワーク固定部１５を水平方向に摺動自在とするための手段として、ここで例示したもの以外の手段を採用して本発明に係る内径測定装置を実施するようにしても良い。
【００４４】
また上記実施の形態及びその変形例は、更に以下のように変更して実施することも可能である。
・上記実施の形態では、位置決めリング１８として、外径の異なる複数種のものを用意していたが、測定位置が１箇所に決っている場合など、特に複数種の位置決めリングが不要であれば、位置決めリング１８を１種類だけ用意するようにしても良い。
【００４５】
・上記実施の形態では、円孔４３Ｈの内径とほぼ同じ外径を有する円筒形状の凸部１５ａをワーク固定部１５に設け、その凸部１５ａに円孔４３Ｈを係合させることで、ピニオン４３をワーク固定部１５に固定するようにしていた。もっとも、ワーク固定部１５への測定対象物（ワーク）の固定方法は、これに限らず、そのワークの形状等に応じた適切な方法を採用すれば良い。上記以外のワークの固定方法としては、例えばチャックによりワークの外周を挟み込むことで、ワークをワーク固定部１５に固定する等の方法が考えられる。
【００４６】
・上記実施の形態では、高さ調節レバー１７に位置決めリング１８を装着するようにしたが、ストッパ１９に位置決めリング１８を装着して、高さ調節レバー１７の傾動操作位置を規定の位置にて係止させる構成とすることもできる。また高さ調節レバー１７の傾動操作位置を規定の位置にて係止させることが可能であれば、位置決めリング以外の部材を採用しても、測定位置を容易に合せることができるようになる。
【００４７】
・上記実施の形態では、回転直動変換機構１１ａにより、高さ調節レバー１７の傾動操作に連動してワーク支持台１２の高さが調節される構成としていたが、高さ調節の操作としてレバーの傾動操作以外の操作、例えばダイアルの回転操作などを用いるようにしても良い。
【００４８】
・上記実施の形態では、回転直動変換機構１１ａを通じて、ワーク支持台１２の高さを調節するようにしていたが、ワーク支持台１２の高さを調節可能であれば、それ以外の機構を用いてワーク支持台１２の高さを調節するようにしても良い。
【００４９】
・上記実施の形態では、ワーク支持台１２が高さ方向に移動可能となっていたが、これを固定する代りに、シリンダゲージ１６を高さ方向に移動可能とするようにしても良い。そうした場合であれ、シリンダゲージ１６を上下動することで、同様に内径測定を行うことができる。また円孔４３Ｈの軸方向におけるシリンダゲージ１６の位置を調節可能とするとともに、その位置を規定の位置にて係止する係止部材を設けることとすれば、測定位置を容易に合せることができるようになる。
【００５０】
・上記実施の形態では、円孔４３Ｈの中心軸Ｌ１が水平面に直交するようにピニオン４３を固定した状態で測定を行うようにしていた。こうした測定中のピニオン４３の向きは、これに限らず任意に変更することができる。そうした場合にも、ワーク固定部１５を、内径の測定される円孔４３Ｈの径方向に摺動自在に設置し、また円孔４３Ｈの軸方向におけるワーク支持台１２の位置を調節可能に調節機構を構成すれば、内径測定装置を、上記実施の形態と同様或いはそれに順じた機能を有するものとすることができる。
【００５１】
・上記実施の形態では、回転直線運動変換機構のプラネタリシャフト４に設けられるピニオン４３（図８参照）の内径を測定する装置として本発明を具体化していた。もっとも、本発明の内径測定装置は、こうしたピニオン４３以外の部品の内径を測定する装置として具体化することも可能である。
【図面の簡単な説明】
【００５２】
【図１】本発明の一実施形態に係る内径測定装置について（ａ）はその正面断面構造を、（ｂ）はその側面構造をそれぞれ示す断面図及び側面図。
【図２−Ａ】同実施形態の内径測定装置での内径測定態様を示す断面図。
【図２−Ｂ】同じく同実施形態の内径測定装置での内径測定態様を示す断面図。
【図２−Ｃ】同じく同実施形態の内径測定装置での内径測定態様を示す断面図。
【図３】（ａ）〜（ｃ）は、それぞれ外径の異なる位置決めリングの装着されたときのワーク支持台の高さの変化態様を各示す側面図。
【図４】本発明の他の実施形態１についてそのワーク支持台の正面断面構造を示す断面図。
【図５】本発明の他の実施形態２についてそのワーク支持台の正面断面構造を示す断面図。
【図６】本発明の他の実施形態３についてそのワーク支持台の正面断面構造を示す断面図。
【図７】内径測定対象となるピニオンの設けられた回転直線運動変換機構の斜視断面構造を示す断面図。
【図８】（ａ）は、同回転直線運動変換機構に設けられるプラネタリシャフトの分解側面構造を側面図であり、（ｂ）はそのプラネタリシャフトに設けられるピニオンの側部断面構造を示す断面図。
【符号の説明】
【００５３】
１０…基台、１１…支柱、１１ａ…回転直動変換機構（調節機構）、１２…ワーク支持台、１２ａ…凹部、１３…天板、１３ａ…孔、１４…ボール、１５…ワーク固定部、１５ａ…凸部、１６…シリンダゲージ、１６ａ…測定部、１７…高さ調節レバー（調節機構）、１７ａ…レバー軸（調節機構）、１８，１８Ａ，１８Ｂ，１８Ｃ…位置決めリング（係止部材）、１９…ストッパ、２０Ａ…磁石、２０Ｂ…磁石、２２…通路、２３…コンプレッサ、２４…コイルばね、４３…ピニオン（ワーク）、４３Ｈ…円孔。
【図１】
2009133655.tif 000003
【図２−Ａ】
2009133655.tif 000004
【図２−Ｂ】
2009133655.tif 000005
【図２−Ｃ】
2009133655.tif 000006
【図３】
2009133655.tif 000007
【図４】
2009133655.tif 000008
【図５】
2009133655.tif 000009
【図６】
2009133655.tif 000010
【図７】
2009133655.tif 000011
【図８】
2009133655.tif 000012